【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
被写体を電気的に撮影し、被写体の撮影後、予め決められた時間、撮影した画像を自動的に表示手段に表示するレビュー表示を行う撮像装置であって、
前記表示手段に表示された画像の拡大及び縮小を指示するための操作部材と、
前記レビュー表示中に前記操作部材が操作された場合に、前記予め決められた時間の経過後も前記レビュー表示を継続する制御手段と
を有することを特徴とする撮像装置。
【請求項２】
被写体を電気的に撮影する撮像装置であって、
表示手段と、
撮影を指示するための撮影指示手段と、
前記表示手段に表示された画像の拡大及び縮小を指示するための操作部材と、
前記撮影指示手段が撮影時から継続して操作されている間、撮影した画像を自動的に前記表示手段に表示するレビュー表示を行い、前記レビュー表示中に前記操作部材が操作された場合に、前記撮影指示手段の操作終了後も、前記レビュー表示を継続する制御手段と
を有することを特徴とする撮像装置。
【請求項３】
前記レビュー表示の継続を指示するための継続指示部材を更に有し、
前記制御手段は、前記レビュー表示中に前記継続指示部材が操作された場合に、前記予め決められた時間の経過後も前記レビュー表示を継続することを特徴とする請求項１に記載の撮像装置。
【請求項４】
前記レビュー表示の継続を指示するための継続指示部材を更に有し、
前記制御手段は、前記レビュー表示中に前記継続指示部材が操作された場合に、前記撮影指示手段の操作終了後も前記レビュー表示を継続することを特徴とする請求項２に記載の撮像装置。
【請求項５】
前記制御手段は、前記操作部材の指示に応じて前記レビュー表示された画像の拡大及び縮小を行い、該拡大または縮小処理した画像を前記表示手段に再表示することを特徴とする請求項１乃至４のいずれか１項に記載の撮像装置。
【請求項６】
前記操作部材は、撮影中に撮影画角を変更する変更手段を兼ねることを特徴とする請求項１乃至５のいずれか１項に記載の撮像装置。
【請求項７】
前記操作部材は、ズームレンズの駆動を操作するためのズームリングであることを特徴とする請求項６に記載の撮像装置。
【請求項８】
表示手段と、前記表示手段に表示された画像の拡大及び縮小を指示するための操作部材とを有し、被写体を電気的に撮影する撮像装置の制御方法であって、
被写体の撮影後、予め決められた時間、撮影した画像を自動的に前記表示手段に表示するレビュー表示を行うレビュー表示工程と、
前記レビュー表示中に前記操作部材が操作されたか否かを判断する判断工程と、
前記レビュー表示中に前記操作部材が操作されたと判断された場合に、前記予め決められた時間の経過後も、前記レビュー表示を継続するように制御する制御工程と
を有することを特徴とする制御方法。
【請求項９】
表示手段と、撮影を指示するための撮影指示手段と、前記表示手段に表示された画像の拡大及び縮小を指示するための操作部材とを有し、被写体を電気的に撮影する撮像装置の制御方法であって、
前記撮影指示手段が撮影時から継続して操作されている間、撮影した画像を自動的に前記表示手段に表示するレビュー表示を行うレビュー表示工程と、
前記レビュー表示中に前記操作部材が操作されたか否かを判断する判断工程と、
前記レビュー表示中に前記操作部材が操作されたと判断された場合に、前記撮影指示手段の操作終了後も、前記レビュー表示を継続するように制御する制御工程と
を有することを特徴とする制御方法。
【請求項１０】
前記撮像装置は、前記レビュー表示の継続を指示するための継続指示部材を更に有し、
前記レビュー表示中に前記継続指示部材が操作されたか否かを判断する第２の判断工程と、
前記レビュー表示中に前記継続指示部材が操作されたと判断された場合に、前記予め決められた時間の経過後も、前記レビュー表示を継続するように制御する第２の制御工程と
を更に有することを特徴とする請求項８に記載の制御方法。
【請求項１１】
前記撮像装置は、前記レビュー表示の継続を指示するための継続指示部材を更に有し、
前記レビュー表示中に前記継続指示部材が操作されたか否かを判断する第２の判断工程と、
前記レビュー表示中に前記継続指示部材が操作されたと判断された場合に、前記撮影指示手段の操作終了後も前記レビュー表示を継続する第２の制御工程と
を更に有することを特徴とする請求項９に記載の制御方法。
【請求項１２】
前記操作部材の指示に応じて前記レビュー表示された画像の拡大及び縮小を行い、該拡大または縮小処理した画像を前記表示手段に再表示する工程を更に有することを特徴とする請求項８乃至１１のいずれか１項に記載の制御方法。
【請求項１３】
前記操作部材は、撮影中に撮影画角を変更する変更手段を兼ねることを特徴とする請求項８乃至１２のいずれか１項に記載の制御方法。
【請求項１４】
前記操作部材は、ズームレンズの駆動を操作するためのズームリングであることを特徴とする請求項１３に記載の制御方法。
【請求項１５】
コンピュータに、請求項８乃至１４のいずれか１項に記載の制御方法の各工程を実行させるためのプログラム。
【請求項１６】
請求項１５に記載のプログラムを格納したことを特徴とするコンピュータが読み取り可能な記憶媒体。
【手続補正２】
【補正対象書類名】明細書
【補正対象項目名】０００９
【補正方法】変更
【補正の内容】
【０００９】
上記目的を達成するために、本発明の撮像装置は、被写体を電気的に撮影し、被写体の撮影後、予め決められた時間、撮影した画像を自動的に表示手段に表示するレビュー表示を行う撮像装置であって、前記表示手段に表示された画像の拡大及び縮小を指示するための操作部材と、前記レビュー表示中に前記操作部材が操作された場合に、前記予め決められた時間の経過後も前記レビュー表示を継続する制御手段とを有する。
【手続補正３】
【補正対象書類名】明細書
【補正対象項目名】００１０
【補正方法】変更
【補正の内容】
【００１０】
また、本発明の撮像装置の制御方法は、表示手段と、前記表示手段に表示された画像の拡大及び縮小を指示するための操作部材とを有し、被写体を電気的に撮影する撮像装置の制御方法であって、被写体の撮影後、予め決められた時間、撮影した画像を自動的に前記表示手段に表示するレビュー表示を行うレビュー表示工程と、前記レビュー表示中に前記操作部材が操作されたか否かを判断する判断工程と、前記レビュー表示中に前記操作部材が操作されたと判断された場合に、前記予め決められた時間の経過後も、前記レビュー表示を継続するように制御する制御工程とを有する。
【手続補正４】
【補正対象書類名】明細書
【補正対象項目名】００１１
【補正方法】変更
【補正の内容】
【００１１】
また、別の構成によれば、本発明の撮像装置は、被写体を電気的に撮影する撮像装置であって、表示手段と、撮影を指示するための撮影指示手段と、前記表示手段に表示された画像の拡大及び縮小を指示するための操作部材と、前記撮影指示手段が撮影時から継続して操作されている間、撮影した画像を自動的に前記表示手段に表示するレビュー表示を行い、前記レビュー表示中に前記操作部材が操作された場合に、前記撮影指示手段の操作終了後も、前記レビュー表示を継続する制御手段とを有する。
【手続補正５】
【補正対象書類名】明細書
【補正対象項目名】００１２
【補正方法】変更
【補正の内容】
【００１２】
また、表示手段と、撮影を指示するための撮影指示手段と、前記表示手段に表示された画像の拡大及び縮小を指示するための操作部材とを有し、被写体を電気的に撮影する撮像装置の制御方法は、前記撮影指示手段が撮影時から継続して操作されている間、撮影した画像を自動的に前記表示手段に表示するレビュー表示を行うレビュー表示工程と、前記レビュー表示中に前記操作部材が操作されたか否かを判断する判断工程と、前記レビュー表示中に前記操作部材が操作されたと判断された場合に、前記撮影指示手段の操作終了後も、前記レビュー表示を継続するように制御する制御工程とを有する。